(57)【要約】      （修正有）【課題】  従来のカーテン係止方法によらない新たな発想によるカーテン係止具に改良する。【解決手段】  カーテンを窓の両側部に開閉する際に止めるカーテン係止具において、カーテン係止帯の両端にカーテン係止用磁石を付設したカーテン係止用部材を装着してなるカーテン係止具本体を設け、該カーテン係止具本体をカーテンに取付けカーテンの所望個所に自由自在に着脱可能にしてなることを特徴とするカーテン係止具を設け、該カーテン係止具をカーテン係止用部材のカーテン係止用磁石を介して着脱可能にかつカーテン係止具本体をカーテンの下面からたくし上げ、カーテン係止用部材のカーテン係止用磁石を介して着脱可能にしてなるカーテン係止具の提供。【選択図】図６
2006130130.tif 000002
【特許請求の範囲】
【請求項１】
カーテンを窓の両側部に開閉する際に止めるカーテン係止具において、カーテン係止帯の両端にカーテン係止用磁石を付設したカーテン係止用部材を装着してなるカーテン係止具本体を設け、該カーテン係止具本体をカーテンに取付けカーテンの所望個所に自由自在に着脱可能にしてなることを特徴とするカーテン係止具。
【請求項２】
前項カーテン係止帯が、リング状・ロープ状・クサリ状に一体形成されかつ長さを自在に調整可能にしてなる請求項１記載のカーテン係止具。
【請求項３】
請求項１記載のカーテン係止用部材が、木製・プラスチック製・金属製等の素材からなりかつハート型・星型・花型・動物型等の所望形状に一体形成され、更に該カーテン係止用部材に磁石装着部を設けて磁石を装着してなる請求項１及び２記載のカーテン係止具。
【請求項４】
請求項１記載のカーテン係止帯が、カーテン係止用部材に移動自在に装着可能にしてなる請求項１及び２記載のカーテン係止具。
【請求項５】
請求項１記載のカーテン係止具本体をカーテンの両面から、カーテン係止用部材のカーテン係止用磁石を介して着脱可能にしてなる請求項１記載のカーテン係止具。
【請求項６】
請求項１記載のカーテン係止具本体をカーテンの下面からたくし上げ、カーテン係止用部材のカーテン係止用磁石を介して着脱可能にしてなる請求項１記載のカーテン係止具。
【請求項７】
請求項１記載のカーテン係止具本体をスカートの上下用装着に利用してなる請求項１記載のカーテン係止具。
【発明の詳細な説明】
【技術分野】
【０００１】
本発明はカーテン係止具に関するが、詳しくはカーテンの所望個所に自由自在に着脱可能にしてなるカーテン係止具に関するものである。
【背景技術】
【０００２】
従来のカーテン係止具としては、例えば実用新案登録第３０３２７６１号のカーテン用スプリング・クリップなどが開示されている。この従来方式は、左右１対のカーテンを引分け状態に保持した場合の室内装飾性及びパイプ状のカーテンレールに取付て滑動される場合の室内装飾性をそれぞれ向上させ、かつ引き分け状態保持機能とランナー機能を併有させ互換性を保有させることで使用領域を拡大するものであり、その解決手段は１対のカーテンにおける自由端部の高さ方向の適所を１対の作動部間に差し込み手指にて作動部間への差し込み、手指にて作動部間への差し込み量を増加させながら１対のカーテンを作動部間に局部的に絞り込み作動部、先端部で基端部を挟着して、１対のカーテンを引き分け状態に保持し作動部の外面に装飾体を着脱可能に取付けて室内装飾性を向上されるところにある。すなわち、従来考案の主要な構成は互いに対抗する１対のクリップ片それぞれの基部が支点ピンに軸まわりの回動を可能に取付けられ、前記基部の一方側にのびる操作部の拡縮に同期して基部の他方側にのびる作動部が反対に拡縮され、該作動部の先端部を当接させるように付勢する弾性部材を備え、前記作動部の中間部分及びその付近が互いに離れる方向に膨出しているとともに、少なくとも一方のクリップ片の前記中間部分の外面に第１止め部材が取付けられ、この第１止め部材の表面に設けた係着部に対応して係脱可能に係着される係着部を設けた第２止め部材が裏面に取付けられている装飾体を具備していることを特徴とするカーテン用スプリングクリップにある。
【特許文献１】実用新案登録第３０３２７６１号公報  更に、従来の一般的なカーテン係止具としては図１０と図１１に示すようなものがある。この一般的な従来方式のカーテン係止具は、窓Ｂの内側上方部にカーテン吊下用ワッカ１６付のカーテン吊下棒１４をカーテン吊下棒係止具１５を介して取付け、このカーテン吊下棒１４のカーテン吊下用ワッカ１６にカーテンＡの上縁部を吊り下げられている。カーテンＡは中央から左右２枚に開閉自在に構成されており、左右の窓側に取付けられているカーテン係止具１２、１２にカーテン係止用ワッカ１３、１３付のカーテン係止帯１１、１１を介して締着されている。すなわち、この従来の一般的なカーテン係止方法は、カーテンを左右に開閉自在になるようにして窓の両側に別体のカーテン係止帯（通常は布製の細長帯）で止められるように構成されているものである。
【発明の開示】
【発明が解決しようとする課題】
【０００３】
このような従来式のカーテン係止具は、いずれも両側の窓に備えつけられている止め金に別体の帯状の係止帯で締着するものである。この従来方式の発想を根本的に改め、カーテンを直接窓際の止め金具に止めるのでなく、カーテンに直接止められることのできる係止具にするところに、本発明が解決しようとする課題を有している。
【課題を解決するための手段】
【０００４】
本発明は上記の如き課題を解決するために開発したものであって、カーテンを窓の両側部に開閉する際に止めるカーテン係止具において、カーテン係止帯の両端にカーテン係止用磁石を付設したカーテン係止用部材を装着してなるカーテン係止具本体を設け、該カーテン係止具本体をカーテンに取付けカーテンの所望個所に自由自在に着脱可能にしてなることを特徴とするカーテン係止具の提供にあり、また前記カーテン係止帯がリング状・ロープ状・クサリ状に一体形成されかつ長さを自在に調整可能にしてなり、また前記カーテン係止用部材が木製・プラスチック製・金属製等の素材からなりかつハート型・星型・花型・動物型等の所望形状に一体形成され、更に該カーテン係止用部材に磁石装着部を設けて磁石を装着してなり、また前記のカーテン係止帯がカーテン係止用部材に移動自在に装着可能にしてなり、更に前記カーテン係止具本体をカーテンの両面からカーテン係止用部材のカーテン係止用磁石を介して着脱可能にしてなり、また前記カーテン係止具本体をカーテンの下面からたくし上げ、カーテン係止用部材のカーテン係止用磁石を介して着脱可能にしてなり、更に前記カーテン係止具本体をスカートの上下用装着に利用してなるカーテン係止具の提供にある。
【発明の効果】
【０００５】
本発明は、カーテンを窓の両側部に開閉する際に止めるカーテン係止具において、カーテン係止帯の両端にカーテン係止用磁石を付設したカーテン係止用部材を装着してなるカーテン係止具本体を設け、該カーテン係止具本体をカーテンに取付けカーテンの所望個所に自由自在に着脱可能にしてなることを特徴とするカーテン係止具であり、また前記カーテン係止帯がリング状・ロープ状・クサリ状に一体形成されかつ長さを自在に調整可能にしてなり、また前記カーテン係止用部材が木製・プラスチック製・金属製等の素材からなりかつハート型・星型・花型・動物型等の所望形状に一体形成され、更に該カーテン係止用部材に磁石装着部を設けて磁石を装着してなり、また前記カーテン係止帯がカーテン係止用部材に移動自在に装着可能にしてなるカーテン係止具であり、更に前記カーテン係止具本体をカーテンの両面からカーテン係止用部材のカーテン係止用磁石を介して着脱可能にしてなり、また前記カーテン係止具本体をカーテンの下面から、たくし上げ、カーテン係止用部材のカーテン係止用磁石を介して着脱可能にしてなるカーテン係止具である。更に前記カーテン係止具本体をスカートの上下用装着に利用してなるカーテン係止具であるから、従来のカーテン係止具では不可能とされていた全く新規な発想からなるので多くの効果が得られる発明といえる。
ア、従来カーテンを止めるのは窓の両側に止め金具を取付けるとともに、この止め金具に  締着するために別付の止め帯が必要であったが、本発明の方法ではこれらの止め金も止  め帯も必要とせずにカーテンを締着することが可能となった。
イ、このカーテンの締着に磁石付きの一本の止め帯を介してカーテンの左右上下のいかな  る個所でも自由自在に締着させることができる。
ウ、このように本発明からなるカーテン係止具に付設されている磁石が係止具に内設され  ているので外部からなる磁石で止められていることが見えない。その結果、装飾的にも  優れているものといえる。
エ、またカーテン係止具とカーテン係止部材の素材に木製・プラスチック製・金属製が使  用されており、しかもカーテン係止具がリング状・ロープ状・クサリ状に一体成形れて  いるとともにカーテン係止部材がハート型・星型・花型・動物型等の所望形状に一体形  成されているので、部屋の装飾用としてカーテン係止具及びカーテン係止部材を利用す  ることもできる。
オ、なお本発明ではカーテン用の係止具としてとらえているが、これに限定することなく  スカートなどにも応用することができるので広く利用することが可能となる。
【０００６】
このように本発明のカーテン係止具にすれば機能性・実用性・装飾性・経済性等あらゆ  る面から見ても、従来のものよりもはるかに優れたカーテンの係止具を提供することが  できるといえる。
【発明を実施するための最良の形態】
【０００７】
本発明の実施形態は、カーテンを窓の両側部に開閉する際に止めるカーテン係止具において、カーテン係止帯の両端にカーテン係止用磁石を付設したカーテン係止用部材を装着してなるカーテン係止具本体を設け、該カーテン係止具本体をカーテンに取付けカーテンの所望個所に自由自在に着脱可能にしてなることを特徴とするカーテン係止具であるから、従来のカーテン係止具よりもあらゆる面で優れているものといえる。
【０００８】
また本発明の最良な実施形態は前記カーテン係止帯が、リング状・ロープ状・クサリ状に一体形成されかつ長さを自在に調整可能にしてなり、また前記カーテン係止用部材が木製・プラスチック製・金属製等の素材からなりかつハート型・星型・花型・動物型等の所望形状に一体形成され、更に該カーテン係止用部材に磁石装着部を設けて磁石を装着してなり、また前記カーテン係止帯がカーテン係止用部材に移動自在に装着可能にしてなるカーテン係止具であるから、カーテン係止具従来の１つの機能しか持っていなかったが、本発明のカーテン係止具にすることによって、単なる機能だけでなく種々の使用目的に合ったものを提供することができる。
【０００９】
更に本発明の最良な実施形態は、前記カーテン係止具本体をカーテンの両面からカーテン係止用部材のカーテン係止用磁石を介して着脱可能にしてなり、また前記カーテン係止具本体をカーテンの下面からたくし上げカーテン係止用部材のカーテン係止用磁石を介して着脱可能にしてなるカーテン係止具であるから、従来の左右開閉方式のカーテン係止具とブラインド方式の開閉式を併用できるカーテン係止具を提供することができる。
【００１０】
更に本発明の最良な実施形態によれば、前記カーテン係止具本体をスカートの上下用装着に利用してなるカーテン係止具やそれ以外のものには応用することができるので、大変に便利なカーテン係止具を提供することができる。
【実施例１】
【００１１】
以下、図面によって本発明の実施例について説明する。
図１乃至図３は本発明のカーテン係止具を示したものであり、１はそのカーテン係止具本体である。このカーテン係止具本体１は１本のカーテン係止帯２と２個のカーテン係止用部材３、３とから構成されている。カーテン係止用帯２は木製・プラスチック製・金属製等の素材を用い一体形成されており、またカーテン係止用部材３も木製・プラスチック製・金属製の素材を用い一体形成されている。更に、カーテン係止帯にはリング状・ロープ状・クリップ状等に形成されており、カーテン係止用部材３はハート型・星型・花型・動物型等の所望形状に形成されている。更に、カーテン係止用部材３には両カーテン係止用部材３、３を磁石で挿着するための磁石装着部５、５が形成されており、この磁石装着部５、５にカーテン係止用磁石４、４がカーテン係止帯２を介して装着されている。すなわち、図３に示すようにカーテンＡと一緒に円形状のカーテン係止用磁石４が磁石装着部５に挿入し固着されている。その際、カーテン係止帯２がカーテン係止用部材３内で左右に摺動して長さを簡単に調節できるように構成することもできる。
【００１２】
図４と図５はカーテン係止帯の他の実施例を示したものであり、図４がチェーンを図５が布製帯をそれぞれ示したものである。ここでは、これらの種類が図示されているがこれ以外の素材からなる形状のものでもよい。
【００１３】
図６乃至図８は、本発明からなるカーテン係止具の使用状態を示したものである。図６は一般的なカーテン係止具に代えて本発明からなるカーテン係止具を用いてカーテンを開閉して締着する場合を示したものである。本図からも明らかのように、両側に開いたカーテンＡを従来と同じ方法で左右にたぐり、それぞれのカーテン係止具本体１を用いてたぐったカーテンの中央部分を更に締め付けてから、その部分を巻き付けるようにしてカーテン係止用部材３、３を合わせると、カーテン係止用磁石４、４によって両部材３、３が接合されることになる。従って、従来方式のように窓側に固定されている止め金具に止め帯で固定する必要もなく、またカーテン自体を従来式と同様に締着させることができる。また、図５は図４に示した方式の変形式を示したものであり、カーテンＡを全部開かないで所望する個所に自由自在に止めることができる。特に、病院などの窓側カーテンやカーテン式つい立てには最適である。更に、図８はブライド方式のカーテンに使用した場合を示したものであり、カーテンＡを下からたぐり上げて所望の個所にカーテン係止具本体１でたぐり上げた部分を締着するものである。この方式は、特に高級な応接間やホテルなどのカーテンに使用すると装飾用としても見栄えもよいカーテン開閉にすることができる。なお、図中６はカーテン吊下棒、７はカーテン吊下棒止具、８はカーテン吊下用ワッカである。
【００１４】
図９は、本発明のカーテン係止具をスカートに応用した場合を示したものである。普通女子学生等のスカートＣは（ａ）図に示すように多少の縦状のひだ付きのものが多用さているので、このひだ部分を多少たぐり上げてカーテン係止具本体１で締着すれば、（ｂ）図のような状態のスカートに変えることができる。このように使用することで、女子学生の場合は昼間は制服として使用されるスカートｃが放課後は外出用のオシャレなスカートｃに変装させて使用することができるので、今風の女子学生には最適である。
【図面の簡単な説明】
【００１５】
【図１】本発明のカーテン係止具を示した斜視図。
【図２】図１で示したカーテン係止具の要部を示した説明図。
【図３】図２に示した要部の断面図。
【図４】図１に示したカーテン係止具の実施例を示した斜視図。
【図５】図１に示したカーテン係止具の実施例を示した斜視図。
【図６】本発明のカーテン係止具の使用状態図。
【図７】本発明のカーテン係止具の使用状態図。
【図８】本発明のカーテン係止具の使用状態図。
【図９】本発明の他の実施例を示した説明概要図。
【図１０】従来のカーテン係止具を示した説明図。
【図１１】従来のカーテン係止具を示した説明図。
【符号の説明】
【００１６】
１  カーテン係止具本体          ２  カーテン係止帯
３  カーテン係止用部材          ４  カーテン係止用磁石
５  磁石装着部                  ６  カーテン吊下棒
７  カーテン吊下棒止具          ８  カーテン吊下用ワッカ
１１  カーテン係止帯            １２  カーテン係止具
１３  カーテン係止用ワッカ      １４  カーテン吊下棒
１５  カーテン吊下棒止具        １６  カーテン吊下ワッカ
Ａ  カーテン                    Ｂ  窓
Ｃ  スカート
【図１】
2006130130.tif 000003
【図２】
2006130130.tif 000004
【図３】
2006130130.tif 000005
【図４】
2006130130.tif 000006
【図５】
2006130130.tif 000007
【図６】
2006130130.tif 000008
【図７】
2006130130.tif 000009
【図８】
2006130130.tif 000010
【図９】
2006130130.tif 000011
【図１０】
2006130130.tif 000012
【図１１】
2006130130.tif 000013